(57)【要約】      （修正有）【課題】クイックリリースタイプの連結部により、ロッキング・ダイニングチェアとベビーキャリアの設置ができ、地面との傾斜角度を調整でき、さらに、揺動と静止が可能なベビーカーロッキング・ダイニングチェアの台座構造を提供する。【解決手段】ベビーカーロッキング・ダイニングチェアの台座構造は、台座１を含み、台座には２つの底部フレーム１１が設けられ、底部フレームは湾曲した凹状円弧部を形成し、凹状円弧部に対応する支持フレーム１２が垂直に配置されている。支持フレームには位置決め部材１３がそれぞれ設けられ、位置決め部材にはクイックリリースタイプの連結部１３１がそれぞれ設けられている。底部フレームにはそれぞれ２つのソケット１１２が設けられ、ソケットにはそれぞれ連接棒１４が配置され、それに対応して底部フレームは平行に配置されている。【選択図】図１
0003223679.tif 000002
【実用新案登録請求の範囲】
【請求項１】
一種のベビーカーロッキング・ダイニングチェアの台座構造であり、台座を含み、
前記台座は２つの底部フレームが設けられ、前記底部フレームは湾曲した凹状円弧部を形成し、前記底部フレームは、前記凹状円弧部に対応する支持フレームと垂直に配置され、そして、前記支持フレームには位置決め部材がそれぞれ設けられており、前記位置決め部材にはクイックリリースタイプの連結部がそれぞれ設けられ、そして、前記底部フレームにはそれぞれ２つのソケットが設けられ、前記ソケットにはそれぞれ連接棒が配置されているので、それに対応している前記底部フレームが平行に配置されていることを特徴とする、ベビーカーロッキング・ダイニングチェアの台座構造。
【請求項２】
前記台座は、前記連結部に対応するロッキング・ダイニングチェアをさらに備え、前記位置決め部材は、前記連結部によって前記ロッキング・ダイニングチェアと地面との傾斜角度を調整することができ、また、前記ロッキング・ダイニングチェアにはテーブルが設けられ、前記テーブルには凹部が設けられていることを特徴とする、請求項１に記載のベビーカーロッキング・ダイニングチェアの台座構造。
【請求項３】
前記台座はさらに、対応する前記連結部に、ベビーキャリアが設けられ、前記位置決め部材は、前記連結部によって前記ベビーキャリアと地面との傾斜角度を調整することができ、そして、前記ベビーキャリアには日よけがさらに設けられており、前記日よけを前記ベビーキャリアに使用することができ、開いたり、畳んだりすることができることを特徴とする、請求項１に記載のベビーカーロッキング・ダイニングチェアの台座構造。
【請求項４】
前記支持フレームは複数のロック部材によって前記底部フレームに固定されていることを特徴とする、請求項１に記載のベビーカーロッキング・ダイニングチェアの台座構造。
【請求項５】
前記ソケットは複数のロック部材によって前記底部フレームに固定されていることを特徴とする、請求項１に記載のベビーカーロッキング・ダイニングチェアの台座構造。
【請求項６】
前記連接棒は複数のロック部材によって前記ソケットに固定されていることを特徴とする、請求項１に記載のベビーカーロッキング・ダイニングチェアの台座構造。
【請求項７】
枢動部材が前記底部フレームの両端部にさらに配置され、前記枢動部材は、前記底部フレームの上端部または地面に当接するように下端部に枢動されることを特徴とする、請求項１に記載のベビーカーロッキング・ダイニングチェアの台座構造。
【考案の詳細な説明】
【技術分野】
【０００１】
本考案は一種のベビーカーロッキング・ダイニングチェアの台座構造であり、特にクイックリリースタイプの接続部を用い、ロッキング・ダイニングチェアまたは幼児運搬具を連結することにより、交換の便利さを促進する。
【背景技術】
【０００２】
台湾厚生福祉省国民健康署によって提供される「子供の成長曲線の百分率マップ」情報によれば、一般的に、乳児の成長段階は急速に発展しており、経済水準が上昇し続けるにつれて、乳児用製品に対する需要も高まっている。したがって、家族が室内で幼児の世話をするとき、例えば、睡眠、休息、摂食や遊びなどは、幼児を落ち着かせるためにロッキング・ダイニングチェアを使用する。外出するとき、動きを容易にするために、ベビーカーを使用して、幼児を寝かせたり乗ったりすることができる。また、保護者は幼児を簡単に持ち運び、世話をすることができる。
【０００３】
しかしながら、従来のロッキング・ダイニングチェアは、対象年齢、期間が短く、適用可能な年齢は、わずか０〜１２ヶ月までである。さらに、一般的に使用されているロッキング・ダイニングチェアは、屋外で使用されているベビーカーに代わるものではないため、その使用は地理的にも制限されている。
【考案の概要】
【考案が解決しようとする課題】
【０００４】
周知の快適なロッキング・ダイニングチェアも知られており、それは快適なベッドと組み合わせてダイニングテーブルをゲームテーブルとして使用することができ、部屋の任意の領域での便利な移動のための４つの車輪を有する。しかし周知の快適なロッキング・ダイニングチェアは０〜４歳までしか使えず、また高価で室内にしか動かせないので使い勝手がよくない。
【０００５】
これを考慮して、本考案者はベビーカーロッキング・ダイニングチェアの台座構造を研究、改良し、より良い設計で上記の問題を改善し、長期の研究開発と継続的なテストの後、本考案ができた。
【課題を解決するための手段】
【０００６】
上記目的を達成するために、本考案の考案者はベビーカーロッキング・ダイニングチェアの台座構造を提供する。ベビーカーロッキング・ダイニングチェアの台座構造は台座を含み、台座は２つの底部フレームが設けられ、底部フレームは湾曲した凹状円弧部を形成する。底部フレームは、凹状円弧部に対応する支持フレームと垂直に配置される。そして、支持フレームには位置決め部材がそれぞれ設けられており、位置決め部材にはクイックリリースタイプの連結部がそれぞれ設けられている。そして、底部フレームにはそれぞれ２つのソケットが設けられており、ソケットにはそれぞれ連接棒が配置されているので、それに対応している底部フレームが平行に配置されている。
【０００７】
ベビーカーロッキング・ダイニングチェアのべース構造において、台座は、連結部に対応するロッキング・ダイニングチェアをさらに備える。位置決め部材は、連結部によってロッキング・ダイニングチェアと地面との傾斜角度を調整することができる。また、ロッキング・ダイニングチェアにはテーブルが設けられ、テーブルには凹部が設けられている。
【０００８】
ベビーカーロッキング・ダイニングチェアのべース構造において、台座はさらに、対応する連結部に、ベビーキャリアが設けられている。位置決め部材は、連結部によってベビーキャリアと地面との傾斜角度を調整することができる。そして、ベビーキャリアには日よけがさらに設けられており、日よけをベビーキャリアに使用することができ、開いたり、畳んだりすることができる。
【０００９】
ベビーカーロッキング・ダイニングチェアのべース構造において、支持フレームは複数のロック部材によって底部フレームに固定されている。
【００１０】
ベビーカーロッキング・ダイニングチェアのべース構造において、ソケットは複数のロック部材によって底部フレームに固定されている。
【００１１】
ベビーカーロッキング・ダイニングチェアのべース構造において、連接棒は複数のロック部材によってソケットに固定されている。
【００１２】
ベビーカーロッキング・ダイニングチェアのべース構造において、枢動部材が底部フレームの両端部にさらに配置され、枢動部材は、底部フレームの上端部または地面に当接するように下端部に枢動される。
【考案の効果】
【００１３】
上記の説明と設置から、本考案は次のようないくつかの利点と効果があることは明らかである。次のようにそれぞれについて詳しく説明する。
【００１４】
１．クイックリリースタイプの連結部に対応する底部フレームはロッキング・ダイニングチェアを設置することができる。また、位置決め部材は、連結部によってロッキング・ダイニングチェアと地面との傾斜角度を調整することができる。さらに、テーブルを引き出した後、物品または食物をテーブルの上に置くことができ、カップを陥凹部に置いて幼児が遊んだり食べたりするのを容易にすることができる。
【００１５】
２．本考案は、台座を枢動部材によって静止させるか又は揺動させることができる。
本考案が揺動することを意図されているときには、枢動部材を底部フレームの上端部まで枢動し、そして、静止させるために揺動する必要がない場合、枢動部材は底部フレームの下端部まで枢動されて地面に当接するので、底部フレームは揺動することができない。
【００１６】
３．クイックリリースタイプの連結部に対応する底部フレームはベビーキャリアを設置することができ、また、位置決め部材は、連結部によってベビーキャリアと地面との傾斜角度を調節することができ、乳児がベビーキャリアにしっかりと横たわることを容易にする。そして、日よけがベビーキャリア上に広げられて、乳児がベビーキャリア内に入る太陽の日差しにさらされるのを防ぐことができる。
【図面の簡単な説明】
【００１７】
【図１】本考案の立体図である。
【図２】本考案の立体分解図である。
【図３】本考案の一実施形態では、ロッキング・ダイニングチェアが設置され、地面に対して１８度の角度を示している平面図である。
【図４】本考案の一実施形態では、ロッキング・ダイニングチェアが設置され、地面に対して４０度の角度を示している平面図である。
【図５】本考案の一実施形態では、ロッキング・ダイニングチェアが設置され、地面に対して１８０度の角度を示している平面図である。
【図６】本考案の一実施形態では、ロッキング・ダイニングチェアが設置され、そしてテーブルを使用している立体図である。
【図７】本考案の一実施形態では、ロッキング・ダイニングチェアが設置され、揺れのない状態の立体図である。
【図８】本考案の別の実施形態において、ベビーキャリアが設置された立体図である。
【図９】本考案の別の実施形態において、ベビーキャリアが設置され、そして日よけが折り畳まれた状態を示す立体図である。
【図１０】本考案の別の実施形態において、ベビーキャリアが設置され、そして日よけが開いた状態を示す立体図である。
【考案を実施するための形態】
【００１８】
本考案はベビーカーロッキング・ダイニングチェア台座構造であり、その実施手段、特徴および機能をいくつかの好ましい実施形態の図面を参照して以下に詳細に説明する。
【００１９】
まず、図１および図２に示すように、本考案は、以下のものを含むベビーカーロッキング・ダイニングチェア台座構造である。
【００２０】
台座１には２つの底部フレーム１１が設けられており、底部フレーム１１は湾曲して凹状円弧部１１１を形成している。底部フレーム１１には、凹状円弧部１１１に対応する支持フレーム１２がそれぞれ垂直に設けられている。支持フレーム１２には位置決め部材１３がそれぞれ設けられており、位置決め部材１３にはクイックリリースタイプの連結部１３１がそれぞれ設けられている。そして、底部フレーム１１はそれぞれ２つのソケット１１２でスリーブされている。異なるソケット１１２には、底部フレーム１１が平行に配置されるように、それぞれ連接棒１４が設けられている。一実施形態では、支持フレーム１２は、複数のロック部材１５によって底部フレーム１１に固定されている。別の実施形態では、ソケット１１２は複数のロック部材１５によって底部フレーム１１に固定されている。一実施形態では、連接棒１４は、複数のロック部材１５によってソケット１１２に固定されている。
【００２１】
続けて図３から図５を参照すると、それは本考案の一実施形態である。台座１は、対応する連結部１３１に、さらにロッキング・ダイニングチェア２を設けている。位置決め部材１３は、連結部１３１によって、ロッキング・ダイニングチェアチェア２と地面との傾斜角度を調整することができる。また、ロッキング・ダイニングチェア２にはテーブル２１が設けられ、テーブル２１には凹部２１１が設けられている。
【００２２】
これにより、クイックリリースタイプの連結部１３１により、対応するロッキング・ダイニングチェア２を設置することができる。そして、位置決め部材１３は、遊戯や睡眠などの使用要件や幼児の状態に応じて、連結部１３１を介してロッキング・ダイニングチェア２と地面との傾斜角度、例えば、１８°、４０°、１８０°などを調整することができる。
【００２３】
図６を参照されたい。本実施形態では、位置決め部材１３を用いて、ロッキング・ダイニングチェア２を傾斜角度に調整した後、テーブル２１を引き抜き、テーブル２１上に物品又は食品を載置することができる。幼児が遊んだり食べたりするのを容易にするために、凹部２１１にカップ（図示せず）を配置することができる。
【００２４】
また、図６〜図７に示すように、本考案は、底部フレーム１１の両端に枢動部材１６をさらに設けることができる。本考案が揺動を必要とするときには、枢動部材１６を底部フレーム１１の上端部まで枢動し、そして、揺動を必要としない場合、枢動部材１６は底部フレーム１１の下端部まで枢動されて地面に当接するので、底部フレーム１１は揺動することができない。
【００２５】
本考案の別の実施形態である図８から図１０を再び参照する。台座１は、対応する連結部１３１に、ベビーキャリア３がさらに設けられている。位置決め部材１３は、連結部１３１によって、ベビーキャリア３の地面に対する傾斜角度を調整することができる。また、ベビーキャリア３には、さらに日除け３１が設けられており、ベビーキャリア３において、日除け３１を開いたり、畳んだりすることができる。
【００２６】
続けて図８から図１０を参照されたい。本考案では、ベビーキャリア３をクイックリリースタイプの連結部１３１によって組み立てられ配置することができる。そして、位置決め部材１３を介してベビーキャリア３を地面に対して１８０度の角度にするため、連結部１３１の角度を調整し、乳児がベビーキャリア３内に穏やかに横たわるのを容易にすることができる。また、日よけ３１がベビーキャリア３において、開いたり、畳んだりすることができるので、ベビーキャリア３内で乳児が日光に当たらないようにすることができ、交換の利便性が向上する。
【００２７】
上記を見ると、本考案において明らかにされた技術的手段は前例のないだけでなく意図された目的および効果をも達成するので、それは新規かつ進歩的である。
【００２８】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００２９】
１  台座
１１  底部フレーム
１１１  凹状円弧部
１１２  ソケット
１２  支持フレーム
１３  位置決め部材
１３１  連結部
１４  連接棒
１５  ロック部材
１６  枢動部材
２  ロッキング・ダイニングチェア
２１  テーブル
２１１  凹部
３  ベビーキャリア
３１  日よけ
【図１】
0003223679.tif 000003
【図２】
0003223679.tif 000004
【図３】
0003223679.tif 000005
【図４】
0003223679.tif 000006
【図５】
0003223679.tif 000007
【図６】
0003223679.tif 000008
【図７】
0003223679.tif 000009
【図８】
0003223679.tif 000010
【図９】
0003223679.tif 000011
【図１０】
0003223679.tif 000012